(57)【要約】【課題】  高効率、高信頼の無停電電源装置および同装置による電源供給方法ならびに空調システムを提供する。【解決手段】  無停電電源装置３の制御信号出力手段が、切り替え検出手段によって商用電源１から蓄電池３２への切り替えが検出されたことに基づき、無停電電源装置３に接続された負荷（空調機２）の動作状態を維持させる指示を出力することで、無停電電源装置３に保護機能が発動して無停電電源装置３そのものを停止してしまうことを防止する。【選択図】  図１
2005269811.tif 000002
【特許請求の範囲】
【請求項１】
商用電源と蓄電池のいずれか一方の電源を切り替えて外部に接続される負荷に電源を供給する無停電電源装置であって、
前記商用電源から前記蓄電池への切り替えを検出する切り替え検出手段と、
前記切り替え検出手段によって前記商用電源から前記蓄電池への切り替えが検出されたことに基づき、前記無停電電源装置に接続された前記負荷の動作状態を維持させる指示を出力する制御信号出力手段と、
を備えたことを特徴とする無停電電源装置。
【請求項２】
前記負荷は誘導電動機を有する機器であって、
前記制御信号出力手段は、前記誘導電動機の運転または停止の状態を維持させる指示を出力することを特徴とする請求項１に記載の無停電電源装置。
【請求項３】
誘導電動機を備えた空調機と、当該空調機に接続され、商用電源と蓄電池のいずれか一方の電源を供給する無停電電源装置とから成る空調システムであって、
前記商用電源から前記蓄電池への切り替えを検出し、前記誘導電動機の動作状態を維持させる指示を出力する前記無停電電源装置と、
前記無停電電源装置からの指示に基づいて、前記誘導電動機の運転または停止の状態を維持させる前記空調機と、
を備えたことを特徴とする空調システム。
【請求項４】
商用電源と蓄電池のいずれか一方の電源を切り替えて外部に接続される負荷に電源を供給する無停電電源装置による電源供給方法であって、
前記商用電源から前記蓄電池への切り替えを検出するステップと、
前記商用電源から前記蓄電池への切り替えが検出されたことに基づき、前記無停電電源検出装置に接続された前記負荷の動作状態を維持させる指示を出力するステップと、
を有することを特徴とする無停電電源装置による電源供給方法。
【発明の詳細な説明】
【技術分野】
【０００１】
本発明は、商用電源と蓄電池のいずれか一方の電源を切り替えて外部に接続される負荷に電源を供給する無停電電源装置、および同装置による電源供給方法、ならびに同装置を用いて空調機に電力を供給する空調システムに関する。
【背景技術】
【０００２】
サーバ、あるいはルータやハブ等のネットワーク機器は、専用のラックに収納され、温度、湿度、防塵、電源等の管理が十分に行われる環境に設置することでシステムダウンを極力回避し、信頼性、可用性、保守性の高いシステムを提供している（例えば、特許文献１参照）。
ところで、上記したネットワーク機器を含む電子機器の空調システムの中には無停電電源装置（UPS：Uninterrupted Power Supply）によりバックアップされている空調システムがある。
【特許文献１】特開２０００−１６５０７９号公報
【発明の開示】
【発明が解決しようとする課題】
【０００３】
空調機への給電の高信頼化を実現するために、無停電電源装置から空調機へ電力を供給する当該給電方式において、空調機内にオン・オフ制御する誘導電動機がある場合、当該誘導電動機の起動時に過大な起動電流（突入電流）が発生し、前記無停電電源装置が過負荷となって停止してしまう。従って、前記無停電電源装置が本来持つ高い信頼性が、誘導電動機機を負荷にしたことによって、無意味になってしまう。
【０００４】
従来、無停電電源装置からオン・オフ制御する誘導電動機に電力を供給する場合、前記誘導電動機の突入電流を想定して、前記誘導電動機の定格消費電力よりも大きな電力出力容量（たとえば前記誘導電動機の定格消費電力の３倍など）をもつ無停電電源装置を選定する必要があった。
【０００５】
本発明は上記事情に鑑みてなされたものであり、無停電電源装置を用いて誘導電動機負荷をバックアップし、前記無停電電源装置がインバータ給電している間は負荷の動作状況を維持させるように制御することで、高信頼な無停電電源装置および同装置による電源供給方法を提供することを課題とする。また、前記無停電電源装置の電力出力容量を前記誘導電動機の定格消費電力以下にできることを課題とする。さらに、前記電源供給方法を空調システムに用いることで、高信頼な空調システムを提供することを課題とする。
【課題を解決するための手段】
【０００６】
上記した課題を解決するために本発明は、商用電源と蓄電池のいずれか一方の電源を切り替えて外部に接続される負荷に電源を供給する無停電電源装置であって、前記商用電源から前記蓄電池への切り替えを検出する切り替え検出手段と、前記切り替え検出手段によって前記商用電源から前記蓄電池への切り替えが検出されたことに基づき、前記無停電電源装置に接続された前記負荷の動作状態を維持させる指示を出力する制御信号出力手段と、を備えたことを特徴とする。
【０００７】
また、本発明において、前記負荷は誘導電動機を有する機器であって、前記制御信号出力手段は、前記誘導電動機の運転または停止の状態を維持させる指示を出力することを特徴とする。
【０００８】
また、本発明は、誘導電動機を備えた空調機と、当該空調機に接続され、商用電源と蓄電池のいずれか一方の電源を供給する無停電電源装置とから成る空調システムであって、前記商用電源から前記蓄電池への切り替えを検出し、前記誘導電動機の動作状態を維持させる指示を出力する前記無停電電源装置と、前記無停電電源装置からの指示に基づいて、前記誘導電動機の運転または停止の状態を維持させる前記空調機と、を備えたことを特徴とする。
【０００９】
また、本発明は、商用電源と蓄電池のいずれか一方の電源を切り替えて外部に接続される負荷に電源を供給する無停電電源装置による電源供給方法であって、前記商用電源から前記蓄電池への切り替えを検出するステップと、前記商用電源から前記蓄電池への切り替えが検出されたことに基づき、前記無停電電源装置に接続された前記負荷の動作状態を維持させる指示を出力するステップと、を有することを特徴とする。
【発明の効果】
【００１０】
本発明によれば、制御信号出力手段が、切り替え検出手段によって商用電源から蓄電池への切り替えが検出されたことに基づき、無停電電源装置に接続された負荷の動作を維持させる指示を出力することで、前記無停電電源装置の保護機能が動作して前期無停電電源装置そのものを停止してしまうことを防止できるため、無停電電源装置が本来持つ高信頼の特徴を活用した無停電電源装置である。
【００１１】
本発明は、特に、誘導電動機を搭載し、インバータ制御されない機器が無停電電源装置に接続されたシステムに適用して顕著な効果が得られる。
【発明を実施するための最良の形態】
【００１２】
以下、図１、図２を参照しながら本発明実施形態について詳細に説明する。図１は本発明を用いた空調システムの一例を示す図である。図１において、符号１は商用電源、符号２は空調機である。商用電源１と空調機２の間には符号３の無停電電源装置が接続されている。
【００１３】
無停電電源装置３は、通常時は商用電源1の電力を、停電時あるいは交流入力異常時には双方向インバータ３３から蓄電池３２の電力を供給し、空調機２に無瞬断で電力を供給する。
【００１４】
符号３５は、本発明により付加される無停電電源装置制御装置であり、無停電電源装置３が空調機２に対して双方向インバータ３３により電力を供給している間は、空調機２内部の誘導電動機（図示せず）の運転状態を変化させないように制御する。無停電電源装置ＵＰＳの双方向インバータ３３と空調機２とは、停電時の電力供給線（図１の、ハッチングされた矢印）の他に、無停電電源装置制御装置３５の出力である制御信号が伝播する制御信号線３４で接続される。また、符号３１はＡＣスイッチを示す。
【００１５】
図２に、無停電電源装置制御装置３５の内部を示す。無停電電源装置制御装置３５は、切り替え検出部３５１と、制御信号出力部３５２で構成される。
切り替え検出部３５１は、商用電源１から無停電電源装置３の蓄電池３２への切り替えを検出してその旨、制御信号出力部３５２へ通知する。制御信号出力部３５２は、切り替え検出部３５１によって商用電源１から蓄電池３２への切り替えが検出されたことに基づき、無停電電源装置３に接続された負荷、ここでは空調機２の動作状態を維持させる指示信号を、制御信号線３４を介して出力する。空調機２は誘導電動を機搭載しており、この場合、制御信号出力部３５２は、誘導電動機の運転または停止の状態を維持させる指示信号を出力することになる。
【００１６】
以下、本発明実施形態の動作について詳細に説明する。通常は、空調機２は、室内に設けられた温度センサによって室内温度を検出し、設定温度以上になったときに空調機のコンプレッサを誘導電動機で作動させて、室内（電算機室）を冷房する。
商用電源１から蓄電池３２に電力供給源が切り替わったとき、無停電電源装置制御装置３５は、これを切り替え検出部３５１で検出し、制御信号出力部３５２がこの検出信号に基づき、デジタル制御信号“１”または“０”を出力する。“１”の時には、空調機２側のコンプレッサ（を駆動させる誘導電動機）の動作状態を維持させる指示となる。これにより、空調機２側では、動作していた場合、その動作を継続する。この場合、室内機は動きっぱなしになるが、室内が設定温度よりも下がるだけ（例えば、設定温度が２０度なので、室内が１５度程度まで下がる）であり、その温度ではネットワーク機器の誤動作ではないため、問題ない。
【００１７】
一方、制御信号出力部３５２が、デジタル値“０”を出力しているときは、商用電源が供給されている場合であり、このときは、室内温度に応じて空調機のコンプレッサが動作して冷房する。
このように、無停電電源装置３５が制御信号線３４を伝播するデジタル値を出力して、コンプレッサを駆動させる誘導電動機の動作をＯＮ、またはＯＦＦの状態に維持させることにより誘導電動機の突入電流により双方向インバータ３３が過電流により停止することを防止できる。
【００１８】
以上説明のように本発明は、無停電電源装置を用いて空調機２をバックアップし、双方向インバータ３３で給電している間は負荷の動作状態を維持させるように制御することで、高効率、高信頼の無停電電源装置ならびに空調システムを提供することができる。
【００１９】
また、本発明によれば、無停電電源装置３はダウンしないため、空調機２はもとより、無停電電源装置３に接続された他の機器（サーバ、ルータなど）についても、電源供給は途切れることなく提供される。なお、無停電電源装置制御装置３５の制御信号出力部３５２によって生成される制御信号は、接点信号（オンまたはオフ）を出力して制御するようにしてもよい。この場合、オンの場合は上記したデジタル値“１”とオフの場合は、デジタル値“０”と同様の動作を行う。
【００２０】
なお、本発明は、整流部とインバータ部を介して負荷へ電力を供給する回路と、整流部およびインバータ部が異常となった場合にバイパス回路へ切り替える機能を有した図３に示す無停電電源装置においても適用できることはいうまでもない。
【図面の簡単な説明】
【００２１】
【図１】本発明の空調システムの一例を示す図である。
【図２】図１における無停電電源制御装置の内部構成の一例を示す図である。
【図３】整流部とインバータ部を介して負荷へ電力を供給する回路と、整流部およびインバータ部が異常となった場合にバイパス回路へ切り替える機能を有した無停電電源装置の一例である。
【符号の説明】
【００２２】
１・・・商用電源、２・・・空調機、３・・・無停電電源装置、３１・・・ＡＣスイッチ、３２・・・蓄電池、３３・・・双方向インバータ、３４・・・制御信号線、３５・・・無停電電源装置
【図１】
2005269811.tif 000003
【図２】
2005269811.tif 000004
【図３】
2005269811.tif 000005